(57)【要約】【課題】定着装置の挿入動作に連動して確実に保守部の閉状態を保持する手段を提供する。【解決手段】画像形成装置の開口部に対して挿脱可能な定着装置において、回動可能に設けられた把持部と、回動可能に設けられ、前記把持部と当接する保守部材と、を有し、前記把持部は、前記開口部に挿入されるとき、前記開口部の天面部と当接する第１の当接突出部と、回動方向における前記第１の当接突出部の反対側に形成され、前記保守部材と当接する第２の当接突出部とを有し、前記把持部は、前記第１の当接突出部が前記天面部と当接して回動し、前記保守部材は、回動する前記把持部の前記第２の当接突出部により押圧されて回動する。【選択図】        図１４
2018055006.tif 000002
【特許請求の範囲】
【請求項１】
画像形成装置の開口部に対して挿脱可能な定着装置において、
回動可能に設けられた把持部と、
回動可能に設けられ、前記把持部と当接する保守部材と、
を有し、
前記把持部は、
前記開口部に挿入されるとき、前記開口部の天面部と当接する第１の当接突出部と、
回動方向における前記第１の当接突出部の反対側に形成され、前記保守部材と当接する第２の当接突出部とを有し、
前記把持部は、前記第１の当接突出部が前記天面部と当接して回動し、
前記保守部材は、回動する前記把持部の前記第２の当接突出部により押圧されて回動することを特徴とする定着装置。
【請求項２】
請求項１に記載の定着装置において、
前記保守部材は、
係止部材と係合し、回動を規制する係合部を有し、
前記係合部が前記係止部材と係合して回動が規制されることを特徴とする定着装置。
【請求項３】
請求項２に記載の定着装置において、
前記把持部は、２つの支持部で回動可能に支持され、
前記第１の当接突出部は、一の前記支持部から延びるように形成された第１の当接部と、前記第１の当接部と連続し、前記第１の当接部から突出する第２の当接部とが形成されていることを特徴とする定着装置。
【請求項４】
請求項３に記載の定着装置において、
前記第２の当接部は、前記第１の当接部に向かって傾斜する傾斜部が形成されていることを特徴とする定着装置。
【請求項５】
請求項３または請求項４に記載の定着装置において、
前記第１の当接部は、２つの前記支持部を結ぶ直線に対して鋭角を成す方向に延びるように形成されていることを特徴とする定着装置。
【請求項６】
請求項２から請求項５のいずれかに記載の定着装置において、
第２の当接突出部は、前記支持部に向かって傾斜する傾斜面が形成され、
前記傾斜面は、前記保守部材と面接触することを特徴とする定着装置。
【請求項７】
請求項６に記載の定着装置において、
前記係止部材は、前記係合部と係合する被係合部と、前記被係合部より自由端側に形成された案内部とを有し、
前記保守部材は、前記係合部が前記案内部に案内されて回動し、前記係止部材の被係合部と係合することを特徴とする定着装置。
【請求項８】
請求項７に記載の定着装置において、
前記保守部材は、前記係合部が前記案内部と当接した状態において、前記第２の当接突出部の傾斜面と面接触することを特徴とする定着装置。
【請求項９】
請求項１から請求項８のいずれかに記載の定着装置において、
前記保守部材は、媒体の搬送路を形成する搬送案内部材であり、媒体搬送方向と直交する方向に配置された回転軸に回動可能に支持されていることを特徴とする定着装置。
【請求項１０】
請求項９に記載の定着装置において、
前記第２の当接突出部は、前記媒体搬送方向と直交する方向における前記媒体の搬送路の中央部において前記保守部材と接触することを特徴とする定着装置。
【請求項１１】
請求項１から請求項１０のいずれかに記載の定着装置において、
前記天面部は、前記開口部の天面に設けられた天面突出部であることを特徴とする定着装置。
【請求項１２】
請求項１から請求項１１のいずれかに記載の定着装置を備えていることを特徴とする画像形成装置。
【発明の詳細な説明】
【技術分野】
【０００１】
本発明は、画像形成装置に対して挿脱可能な定着装置およびその定着装置を備えた画像形成装置に関する。
【背景技術】
【０００２】
従来の画像形成装置は、挿脱可能な定着装置を備え、その定着装置は開閉可能な保守部を有し、定着装置を画像形成装置から抜き取る際、保守部を開状態にし、また定着装置を画像形成装置に挿入する際に、挿入動作に連動して保守部を閉状態で係止する係止部材を備えたものがある（例えば、特許文献１参照）。
【先行技術文献】
【特許文献】
【０００３】
【特許文献１】特開２００７−１２１９５６号公報
【発明の概要】
【発明が解決しようとする課題】
【０００４】
しかしながら、従来の技術においては、画像形成装置に対する定着装置の挿入動作に連動して保守部を閉状態で係止する際、保守部の回動を規制することができず、保守部の閉状態を保持できない場合があるという問題がある。
【０００５】
本発明は、このような問題を解決することを課題とし、定着装置の挿入動作に連動して確実に保守部の閉状態を保持できるようにすることを目的とする。
【課題を解決するための手段】
【０００６】
そのため、本発明は、画像形成装置の開口部に対して挿脱可能な定着装置において、回動可能に設けられた把持部と、回動可能に設けられ、前記把持部と当接する保守部材と、を有し、前記把持部は、前記開口部に挿入されるとき、前記開口部の天面部と当接する第１の当接突出部と、回動方向における前記第１の当接突出部の反対側に形成され、前記保守部材と当接する第２の当接突出部とを有し、前記把持部は、前記第１の当接突出部が前記天面部と当接して回動し、前記保守部材は、回動する前記把持部の前記第２の当接突出部により押圧されて回動することを特徴とする。
【発明の効果】
【０００７】
このようにした本発明は、定着装置の挿入動作に連動して確実に保守部の閉状態を保持できるという効果が得られる。
【図面の簡単な説明】
【０００８】
【図１】実施例における画像形成装置の構成を示す概略側断面図
【図２】実施例における定着部の斜視図
【図３】実施例における定着部の斜視図
【図４】実施例におけるハンドルの説明図
【図５】実施例における排出部の斜視図
【図６】実施例における排出部の斜視図
【図７】実施例における排出ガイドおよびロックレバーの側断面図
【図８】実施例における排出ガイドおよびロックレバーの側断面図
【図９】実施例における排出ガイドおよびロックレバーの側断面図
【図１０】実施例における定着部および排出部の斜視図
【図１１】実施例における定着部および排出部の挿入開始時の側面図
【図１２】実施例における定着部および排出部の挿入途中の側面図
【図１３】実施例における定着部および排出部のハーフロック解消時の側面図
【図１４】実施例における定着部および排出部のハーフロック解消時の断面図
【図１５】実施例における定着部および排出部の挿入完了時の側面図
【発明を実施するための形態】
【０００９】
以下、図面を参照して本発明による定着装置および画像形成装置の実施例を説明する。
【実施例】
【００１０】
図１は実施例における画像形成装置の構成を示す概略側断面図である。
【００１１】
図１において、画像形成装置１は、例えばカラープリンタであり、画像形成ユニット２Ｋ、２Ｙ、２Ｍ、２Ｃと、転写ローラ１０Ｋ、１０Ｙ、１０Ｍ、１０Ｃと、用紙カセット２４と、給紙ローラ１１と、搬送ローラ１４、１５と、ベルト従動ローラ１６と、搬送ベルト１８と、ベルト駆動ローラ１７と、ベルトブレード２７と、ベルト廃トナーボックス２８と、定着装置１００とを有している。
【００１２】
画像形成ユニット２Ｋ、２Ｙ、２Ｍ、２Ｃは、それぞれブラック（Ｋ）、イエロー（Ｙ）、マゼンタ（Ｍ）、シアン（Ｃ）の４色の現像剤像としてのトナー画像を形成するものである。
【００１３】
この画像形成ユニット２Ｋ、２Ｙ、２Ｍ、２Ｃは、像担持体としての感光体ドラム４Ｋ、４Ｙ、４Ｍ、４Ｃと、感光体ドラム４Ｋ、４Ｙ、４Ｍ、４Ｃの表面を露光して静電潜像を形成する露光装置としてのＬＥＤヘッド３Ｋ、３Ｙ、３Ｍ、３Ｃと、感光体ドラム４Ｋ、４Ｙ、４Ｍ、４Ｃに当接し、感光体ドラム４Ｋ、４Ｙ、４Ｍ、４Ｃの表面をクリーニングするウレタンゴム等の弾性体からなる感光体ブレード２６Ｋ、２６Ｙ、２６Ｍ、２６Ｃ、感光体ドラム４Ｋ、４Ｙ、４Ｍ、４Ｃの表面を一様に帯電させる帯電ローラ５Ｋ、５Ｙ、５Ｍ、５Ｃと、感光体ドラム４Ｋ、４Ｙ、４Ｍ、４Ｃの表面に形成された静電潜像に現像剤としてのトナーを搬送してトナー像を形成する現像ローラ６Ｋ、６Ｙ、６Ｍ、６Ｃと、トナーを収容するトナータンク７Ｋ、７Ｙ、７Ｍ、７Ｃと、現像ローラ６Ｋ、６Ｙ、６Ｍ、６Ｃの表面にトナー層を形成する現像ブレード８Ｋ、８Ｙ、８Ｍ、８Ｃと、トナータンク７Ｋ、７Ｙ、７Ｍ、７Ｃから現像ローラ６Ｋ、６Ｙ、６Ｍ、６Ｃにトナーを供給するトナー供給スポンジローラ９Ｋ、９Ｙ、９Ｍ、９Ｃと有している。
【００１４】
転写ローラ１０Ｋ、１０Ｙ、１０Ｍ、１０Ｃは、搬送ベルト１８を介して画像形成ユニット２Ｋ、２Ｙ、２Ｍ、２Ｃの感光体ドラム４Ｋ、４Ｙ、４Ｍ、４Ｃと対向配置され、感光体ドラム４Ｋ、４Ｙ、４Ｍ、４Ｃの表面に形成されたトナー像を搬送ベルト１８によって搬送される記録紙に転写するものである。
【００１５】
用紙カセット２４は、媒体としての記録紙を積層して収容するものである。
【００１６】
給紙ローラ１１は、用紙カセット２４に収容された記録紙を、分離用舌片を併用して１枚ずつ分離して取り出すものである。給紙ローラ１１により取り出された記録紙は入り口センサ１２により検知される。
【００１７】
搬送ローラ１４、１５は、給紙ローラ１１により取り出された記録紙を挟持して搬送するものである。搬送ローラ１４、１５により搬送された記録は書き込みセンサ１３により検知され、画像形成ユニット２Ｋ、２Ｙ、２Ｍ、２Ｃにおける画像形成タイミングが検知される。
【００１８】
搬送ベルト１８は、ベルト従動ローラ１６およびベルト駆動ローラ１７に張架された無端状のベルトであり、図中矢印Ｂが示す媒体搬送方向に回転し、搬送ローラ１４、１５により搬送された記録紙を定着装置１００へ搬送するものである。
【００１９】
ベルト従動ローラ１６は、搬送ベルト１８の回転に従動して回転するローラであり、搬送ベルト１８の張りを一定に保つためにスプリング等で支持されたものである。
【００２０】
ベルト駆動ローラ１７は、モータ等の駆動源により回転し、張架された搬送ベルト１８を回転させるものである。
【００２１】
ベルトブレード２７は、搬送ベルト１８に当接し、搬送ベルト１８の表面をクリーニングするウレタンゴム等の弾性体からなるものである。
【００２２】
ベルト廃トナーボックス２８は、ベルトブレード２７により掻き取られたトナーを回収するものである。
【００２３】
定着装置１００は、定着部４０と、排出部６０とを有し、画像形成装置１の本体に形成された開口部に対して挿脱可能なものである。定着装置１００は、画像形成装置１の開口部に対して図中矢印Ａが示す装着方向に挿入することができ、また図中矢印Ｂが示す媒体搬送方向に引き出すことができるようになっており、排出部６０は定着部４０の媒体搬送方向における下流側に配設されている。
【００２４】
定着部４０は、定着ユニット４１と、加圧ユニット４２とを有し、記録紙に転写されたトナー像を熱と圧力で定着させ、トナー像が定着された記録紙を排出部６０へ搬送するものである。定着ユニット４１は、内部に加熱手段としてのヒータ５０ａ、５０ｂで加熱される無端状の定着ベルト４３と、定着ベルト４３を回転させる定着ローラ４３ａとを備えている。加圧ユニット４２は、内部に加熱手段としてのヒータ５０ｃで加熱される無端状の加圧ベルト４４と、定着ベルト４３および加圧ベルト４４を介して定着ローラ４３ａと対向配置された加圧ローラ４４ａを備えている。
【００２５】
排出部６０は、定着部４０でトナー像が定着された記録紙を装置外へ排出するものである。排出部６０は、第１の搬送ローラ６１ａおよび第２の搬送ローラ６１ｂと、第１の従動ローラ７１ａおよび第２の従動ローラ７１ｂとを備え、定着部４０から搬送された記録紙を第１の搬送ローラ６１ａおよび第２の搬送ローラ６１ｂと、第１の従動ローラ７１ａおよび第２の従動ローラ７１ｂとにより挟持して装置外へ排出する。また、排出部６０は記録紙を検知する用紙センサ７１ｃを備えている。
【００２６】
このように本実施例の画像形成装置１は、開口部に対して挿脱可能な定着装置１００を備えている。
【００２７】
なお、画像形成装置１は、各ローラを回転させるモータを備え、例えば給紙ローラ１１を回転させる給紙モータ、搬送ローラ１４、１５回転させる搬送モータ、ベルト駆動ローラ１７を回転させる搬送ベルトモータ、定着ユニット４１および加圧ユニット４２に備えられた定着ベルト４３および加圧ベルト４４を回転させる定着モータ、画像形成ユニット２Ｋ、２Ｙ、２Ｍ、２Ｃの各ローラをそれぞれ独立させて回転させるＫモータ、Ｙモータ、Ｍモータ、Ｃモータ等を備えている。
【００２８】
図２および図３は実施例における定着部の斜視図であり、図２は画像形成装置に装着したときの定着部の状態を表し、図３は画像形成装置から外してハンドルを立位にした定着部の状態を表している。
図２および図３において、定着部４０は、図中矢印Ａが示す装着方向に移動されることにより、図１に示す定着装置１００として画像形成装置１の開口部に挿入され、装着されるものであり、ハンドル４５と、媒体挿入口４６と、媒体排出口４７とを有している。
【００２９】
把持部としてのハンドル４５は、ユーザにより把持されるものであり、２つの支持部４５１により、図中矢印Ａが示す装着方向およびその反対方向（挿脱方向）に回動可能に支持されている。また、ハンドル４５は、矢印Ａが示す装着方向と直交する方向における定着部４０の略中央部に配置されている。
【００３０】
図２に示すハンドル４５を図中矢印Ａが示す装着方向に回動させると、図３に示すようにハンドル４５は立位の状態になって停止する。また、立位のハンドルを図中矢印Ａが示す装着方向の反対方向に回動させると、図２に示すようにハンドル４５は倒れた臥位の状態になって停止する。このように、ハンドル４５は、略９０度の角度で回動可能になっている。
【００３１】
ハンドル４５は、図２に示す臥位における上面、即ち図３に示す立位における装着方向の面に、第１の突出当接部４５２が形成され、図２に示す臥位における下面、即ち図３に示す立位における装着方向の反対方向の面に、第２の突出当接部としての第３の当接部４５４が形成されている。
【００３２】
図４は実施例におけるハンドルの説明図であり、図４（ａ）はハンドルの上面図、図４（ｂ）はハンドルの側面図である。
【００３３】
図４（ａ）に示すように、ハンドル４５は、２つの支持部４５１Ｌ、Ｒの間に、第１の当接部４５２ａ、第２の当接部４５２ｂ、および把手部４５６が形成されている。この第１の当接部４５２ａおよび第２の当接部４５２ｂは、第１の突出当接部４５２を構成している。
【００３４】
第１の当接部４５２ａは、１つの支持部４５１Ｒから延びるように形成され、その支持部４５１Ｒと第２の当接部４５２ｂとの間に配置されている。
【００３５】
第２の当接部４５２ｂは、第１の当接部４５２ａに連続し、第１の当接部４５２ａから突出するように形成され、第１の当接部４５２ａと把手部４５６との間に配置されている。
【００３６】
なお、第２の当接部４５２ｂは、図１３に示すように、定着装置１００が画像形成装置１の開口部に挿入されたとき、開口部の天面に設けられた天面部と当接する。本実施例では、第２の当接部４５２ｂが当接する天面部を、挿入される定着装置１００側に突出する天面突出部８１としているが、第２の当接部４５２ｂと当接するものであれば突出していない天面部であっても良い。
【００３７】
把手部４５６は、第２の当接部４５２ｂに連続するように形成され、他方の支持部４５１Ｌに接続するように形成されている。
また、図４（ｂ）に示すように、第２の当接部４５２ｂは、第１の当接部４５２ａより突出するように形成され、さらに第２の当接部４５２ｂの頂部から連続し、第１の当接部４５２ａに向かって傾斜する傾斜部４５７が形成されている。
【００３８】
また、図中矢印Ｃ１が示すハンドル４５の回動方向における第２の当接部４５２ｂの反対側の把手部４５６の下面には、把手部４５６から突出する第３の当接部４５４が形成されている。この第３の当接部４５４の支持部４５１（Ｒ）側には、支持部４５１（Ｒ）に向かって（把手部４５６に接近する方向に）傾斜する傾斜面４５５が形成されている。
なお、第３の当接部４５４は、図１２に示すように、定着装置１００が画像形成装置１の開口部に挿入されたとき、後述する搬送ガイド７０と当接する。
【００３９】
本実施例では、図４（ａ）に示すように、第２の当接部４５２ｂおよび第３の当接部４５４が２つの支持部４５１Ｌ、Ｒの間に配置されるように、第１の当接部４５２ａが支持部４５１Ｒと支持部４５１Ｌとを結ぶ直線（線分）に対して鋭角を成す方向に延びるように、斜めに形成されている。
【００４０】
なお、ハンドル４５は、図３に示す立位の状態を保持することができるようにするため、立位の状態において重心が把手部４５６の回動方向における中央部に配置されるように、第１の当接部４５２ａ、第２の当接部４５２ｂ、第３の当接部４５４、および把手部４５６が形成されている。
【００４１】
また、ハンドル４５は、把手部４５６を回動させると、第３の当接部４５４の重さにより回動し、図２に示すように、臥位の状態になって停止する。
【００４２】
図５および図６は実施例における排出部の斜視図であり、図５は画像形成装置に装着したときの排出部の状態を表し、図６は画像形成装置から外して媒体搬送路を開いた排出部の状態を表している。
図５および図６において、排出部６０は、図中矢印Ａが示す装着方向に移動されることにより、図１に示す定着装置１００として画像形成装置１に装着されるものであり、第１の搬送ローラ６１ａと、第２の搬送ローラ６１ｂと、ロックレバー６２Ｌ、６２Ｒと、搬送ガイド７０とを有している。
【００４３】
第１の搬送ローラ６１ａは、定着部４０から排出された記録紙を第２の搬送ローラ６１ｂへ搬送するローラである。
第２の搬送ローラ６１ｂは、第１の搬送ローラ６１ａから搬送された記録紙をさらに媒体搬送方向における下流に搬送するローラである。
【００４４】
係止部材としてのロックレバー６２Ｌ、６２Ｒは、図中矢印Ａが示す装着方向およびその反対方向（挿脱方向）に回動可能に排出部６０の本体に支持され、搬送ガイド７０に形成された係合部との係合および係合の解除を行うものである。ロックレバー６２Ｌは、図５中矢印Ｂが示す媒体搬送方向における排出部６０の本体の左側に支持され、ロックレバー６２Ｒは、媒体搬送方向における排出部６０の本体の右側に支持されている。
【００４５】
保守部材としての搬送ガイド７０は、図中矢印Ａが示す装着方向およびその反対方向（挿脱方向）に回動可能に排出部６０の本体に支持され、ロックレバー６２Ｌ、６２Ｒに形成された係合部と係合することにより、第１の搬送ローラ６１ａおよび第２の搬送ローラ６１ｂと対向配置されて回動が規制され、記録紙の搬送路を形成する搬送案内部材である。
【００４６】
また、図６に示すように、搬送ガイド７０は、ロックレバー６２Ｌ、６２Ｒに形成された係合部と係合が解除されることにより、回動可能になり、第１の搬送ローラ６１ａから離間して媒体搬送路を開放することができるようになり、媒体搬送路で詰まった記録紙を除去することができるようになる。
【００４７】
さらに、搬送ガイド７０は、図２および図３に示すハンドル４５と当接し、ハンドル４５に押圧されることにより回動するようになっている。
【００４８】
図７、図８および図９は実施例における排出ガイドおよびロックレバーの側断面図であり、図７は搬送ガイドがロックレバーと係合して第１の搬送ローラおよび第２の搬送ローラと対向配置されて媒体搬送路を形成している状態を表し、図８は搬送ガイドが回動して第１の搬送ローラから離間して媒体搬送路を開放している状態を表し、図９は搬送ガイドがロックレバーとの係合が解除されてロックレバーと当接している状態、いわゆるハーフロック状態を表している。
【００４９】
図７、図８および図９において、ロックレバー６２Ｌ、６２Ｒは、回転軸６３に回動可能に支持されている。このロックレバー６２Ｌ、６２Ｒは、スプリング等の付勢部材により、図中矢印Ｂが示す媒体搬送方向における下流側に付勢されている。
【００５０】
搬送ガイド７０は、第１の従動ローラ７１ａと、第２の従動ローラ７１ｂと、係合部７２Ｌ、Ｒとを有し、媒体搬送方向と直交する方向に配置された回転軸７３に回動可能に支持されている。
【００５１】
第１の従動ローラ７１ａは、第１の搬送ローラ６１ａとの間で記録紙を挟持して搬送するローラであり、第１の搬送ローラ６１ａの回転に従動して回転する。
第２の従動ローラ７１ｂは、第２の搬送ローラ６１ｂとの間で記録紙を挟持して搬送するローラであり、第２の搬送ローラ６１ｂの回転に従動して回転する。
【００５２】
なお、第１の従動ローラ７１ａと第２の従動ローラ７１ｂとの間には、搬送される記録紙を検知する用紙センサ７１ｃが配置されている。
【００５３】
図７に示すように、第１の従動ローラ７１ａおよび第２の従動ローラ７１ｂは、それぞれ第１の搬送ローラ６１ａおよび第２の搬送ローラ６１ｂと対向配置され、媒体搬送路を形成する。
【００５４】
係合部７２Ｌ、Ｒは、図中矢印Ｂが示す媒体搬送方向における搬送ガイド７０の両側部に設けられ、ロックレバー６２Ｌ、６２Ｒに形成された被係合部６４Ｌ、６４Ｒと係合して搬送ガイド７０の回動を規制するものである。係合部７２Ｌはロックレバー６２Ｌに形成された被係合部６４Ｌと係合し、係合部７２Ｒはロックレバー６２Ｒに形成された被係合部６４Ｒと係合する。
【００５５】
図７に示すように、搬送ガイド７０の係合部７２Ｌ、Ｒが、ロックレバー６２Ｌ、６２Ｒの被係合部６４Ｌ、６４Ｒと係合すると、搬送ガイド７０の回動が規制され、第１の搬送ローラ６１ａおよび第２の搬送ローラ６１ｂと第１の従動ローラ７１ａおよび第２の従動ローラ７１ｂとをそれぞれ接触させて媒体搬送路を形成した状態を保持する。
【００５６】
このとき、ロックレバー６２Ｌ、６２Ｒは、搬送ガイド７０の係合部７２Ｌ、Ｒ側に付勢されているため、ロックレバー６２Ｌ、６２Ｒの被係合部６４Ｌ、６４Ｒと、搬送ガイド７０の係合部７２Ｌ、Ｒとの係合が保持される。
【００５７】
また、図８に示すように、搬送ガイド７０の係合部７２Ｌ、Ｒと、ロックレバー６２Ｌ、６２Ｒの被係合部６４Ｌ、６４Ｒとの係合が解除されると、搬送ガイド７０は回転軸７３を回転支点として回動可能になり、搬送ガイド７０の第１の従動ローラ７１ａが第１の搬送ローラ６１ａから離間することにより、媒体搬送路を開放することができるようになる。
【００５８】
さらに、図９に示すように、搬送ガイド７０の係合部７２Ｌ、Ｒと、ロックレバー６２Ｌ、６２Ｒの被係合部６４Ｌ、６４Ｒとの係合が解除された状態において、係合部７２Ｌ、Ｒの先端部７２１Ｌ、Ｒが、ロックレバー６２Ｌ、６２Ｒの被係合部６４Ｌ、６４Ｒより自由端側に形成された案内部としての傾斜部６５Ｌ、Ｒと当接すると、搬送ガイド７０の第１の従動ローラ７１ａが第１の搬送ローラ６１ａから離間した状態が保持される。
【００５９】
図１０は実施例における定着部および排出部の斜視図である。
【００６０】
図１０において、定着部４０と排出部６０は、接続されて一体になっている。図中矢印Ｂが示す媒体搬送方向における上流側に定着部４０、下流側に排出部６０が配置される。図２に示す定着部４０の媒体排出口４７から排出された記録紙は、図５に示す排出部６０の第１の搬送ローラ６１ａへと搬送される。
【００６１】
定着部４０と排出部６０は、定着装置１００として一体となって図１に示す画像形成装置１に対して挿脱される。
【００６２】
本実施例では、図１〜図１０に示すように、定着装置１００の定着部４０のハンドル４５に、画像形成装置１の開口部の天面に形成された天面突出部８１と当接する第１の当接突出部４５２と、回動方向（定着装置１００の挿脱方向）における第１の当接突出部４５２の反対側に、排出部６０の搬送ガイド７０と当接する第２の当接突出部４５４とを形成し、また搬送ガイド７０に、ロックレバー６２Ｌ、６２Ｒの被係合部６４Ｌ、６４Ｒと係合し、搬送ガイド７０の回動を規制する係合部７２Ｌ、Ｒを形成するようにしている。
【００６３】
上述した構成の作用について説明する。
【００６４】
まず、画像形成装置が行う印刷動作の概要を図１に基づいて説明する。
【００６５】
画像形成装置１が、例えば外部装置から印刷データを受信すると、受信した印刷データを解析して画像データを生成し、その画像データおよび印刷命令を制御部に通知する。
【００６６】
制御部は、印刷命令の通知を受けると、給紙ローラ１１により用紙カセット２４から記録紙を取り出すとともに、画像形成プロセスを開始し、印刷動作を開始する。
【００６７】
画像形成プロセスでは、ＬＥＤヘッド３Ｋ、３Ｙ、３Ｍ、３Ｃにより画像形成ユニット２Ｋ、２Ｙ、２Ｍ、２Ｃの感光ドラム４Ｋ、４Ｙ、４Ｍ、４Ｃに静電潜像が形成され、現像ローラ６Ｋ、６Ｙ、６Ｍ、６Ｃによってトナー像が現像され、転写ローラ１０Ｋ、１０Ｙ、１０Ｍ、１０Ｃによって搬送ベルト１８で搬送される記録紙上にトナー像が転写される。
【００６８】
記録紙に転写されたトナー像は、定着装置１００の定着部４０において熱と圧力によって定着され、さらに、トナー像が定着された記録紙は、排出部６０によって装置外へ排出される。
【００６９】
このようにして画像形成装置１は印刷動作を行う。
【００７０】
次に、定着部および排出部からなる定着装置を画像形成装置に挿入する場合の作用を図１１から図１５を用いて説明する。
【００７１】
まず、図１１に示すように、定着部４０のハンドル４５が立位の状態で定着装置１００を図中矢印Ａが示す挿入方向へ移動させて画像形成装置１の筐体８０の開口部に挿入する。
【００７２】
このとき、排出部６０の搬送ガイド７０がハーフロックの状態、即ち図９に示すように、搬送ガイド７０の係合部７２Ｌ、Ｒが、ロックレバー６２Ｌ、６２Ｒの被係合部６４Ｌ、６４Ｒとの係合が解除され、係合部７２Ｌ、Ｒが傾斜部６５Ｌ、Ｒと当接した状態にあるものとする。
【００７３】
排出部６０の搬送ガイド７０がハーフロックの状態において、定着装置１００を画像形成装置１の筐体８０に挿入すると、図１２に示すように、定着部４０のハンドル４５の第１の当接部４５２ａが筐体８０の側部の当接部８０ａに当接することにより、ハンドル４５が、図中矢印Ｃが示す臥位方向に回動する。
【００７４】
ハンドル４５が臥位方向に回動すると、ハンドル４５の第３の当接部４５４の傾斜面４５５が搬送ガイド７０の上面７０ａに当接する。このとき、第３の当接部４５４の傾斜面４５５は、搬送ガイド７０の上面７０ａと面接触する。
このように、搬送ガイド７０は、係合部７２Ｌ、Ｒが傾斜部６５Ｌ、Ｒと当接した状態において、第３の当接部４５４の傾斜面４５５と面接触する。
【００７５】
また、第３の当接部４５４の傾斜面４５５は、図１０に示すように、媒体搬送方向と直交する方向における媒体搬送路の中央部において搬送ガイド７０と接触する。
【００７６】
ハンドル４５の第３の当接部４５４の傾斜面４５５が搬送ガイド７０の上面７０ａに当接した状態において、さらに、定着装置１００を画像形成装置１の筐体８０に挿入すると、筐体８０の側部の当接部８０ａに当接しているハンドル４５が臥位方向に回動し、第３の当接部４５４の傾斜面４５５は面接触している搬送ガイド７０の上面７０ａを押圧する。第３の当接部４５４の傾斜面４５５は搬送ガイド７０の上面７０ａと面接触しているため、確実に搬送ガイド７０を図中矢印Ｄが示す閉方向に回動させることができる。
【００７７】
さらに、定着装置１００を画像形成装置１の筐体８０に挿入すると、ハンドル４５の傾斜部４５７が筐体８０の側部の当接部８０ａに当接することにより、ハンドル４５が、図中矢印Ｃが示す臥位方向にさらに回動するとともに、搬送ガイド７０は上面７０ａがハンドル４５の第３の当接部４５４に押圧されて閉方向にさらに回動する。
【００７８】
このように、ハンドル４５は、筐体８０の側部の当接部８０ａと当接する第１の当接部４５２ａおよび傾斜部４５７により倒れるように案内される。
【００７９】
図１３に示すように、定着装置１００を画像形成装置１の筐体８０に挿入し、定着部４０のハンドル４５の第２の当接部４５２ｂの頂部が筐体８０の開口部の天面に設けられた天面突出部８１と当接すると、臥位方向に回動したハンドル４５の第３の当接部４５４に押圧された搬送ガイド７０は、図１４に示すように図中矢印Ｄが示す閉方向に回動し、係合部７２Ｌ、Ｒが、ロックレバー６２Ｌ、６２Ｒの被係合部６４Ｌ、６４Ｒと係合する。
【００８０】
このとき、搬送ガイド７０は、係合部７２Ｌ、Ｒが、ロックレバー６２Ｌ、６２Ｒの傾斜部６５Ｌ、Ｒに案内されて回動し、ロックレバー６２Ｌ、６２Ｒの被係合部６４Ｌ、６４Ｒと係合する。
【００８１】
搬送ガイド７０の係合部７２Ｌ、Ｒが、ロックレバー６２Ｌ、６２Ｒの被係合部６４Ｌ、６４Ｒと係合すると、搬送ガイド７０がロックレバー６２Ｌ、６２Ｒで係止され、搬送ガイド７０の回動が規制される。
【００８２】
したがって、搬送ガイド７０は、第１の従動ローラ７１ａおよび第２の従動ローラ７１ｂと第１の搬送ローラ６１ａおよび第２の搬送ローラ６１ｂとをそれぞれ接触させて媒体搬送路を形成した閉状態を保持する。
【００８３】
このように、ハンドル４５の第２の当接部４５２ｂの頂部が筐体８０の開口部の天面に設けられた天面突出部８１と当接し、搬送ガイド７０がハンドル４５の第３の当接部４５４に押圧されて回動することにより、係合部７２Ｌ、Ｒと、ロックレバー６２Ｌ、６２Ｒの被係合部６４Ｌ、６４Ｒとを確実に係合させる。
【００８４】
また、第３の当接部４５４は、媒体搬送方向と直交する方向における媒体搬送路の中央部において搬送ガイド７０と接触するため、搬送ガイド７０の係合部７２Ｌとロックレバー６２Ｌの被係合部６４Ｌ、および搬送ガイド７０の係合部Ｒとロックレバー６２Ｒの被係合部６４Ｒとの双方を確実に係合させることができる。
【００８５】
図１５に示すように、定着装置１００を画像形成装置１の筐体８０にさらに挿入すると、定着装置１００は画像形成装置１の筐体８０に設けられた係止部材により係止されて固定されるとともに、定着部４０のハンドル４５の第２の当接部４５２ｂの頂部が筐体８０の天面突出部８１から離間する。
【００８６】
このとき、搬送ガイド７０の係合部７２Ｌ、Ｒと、ロックレバー６２Ｌ、６２Ｒの被係合部６４Ｌ、６４Ｒとが係合した状態が保持され、第１の搬送ローラ６１ａおよび第２の搬送ローラ６１ｂと第１の従動ローラ７１ａおよび第２の従動ローラ７１ｂとがそれぞれ接触して媒体搬送路が形成された閉状態が保持される。
【００８７】
このように本実施例では、定着装置１００の定着部４０のハンドル４５に、画像形成装置１の開口部の天面に形成された天面部としての天面突出部８１と当接する第１の当接突出部４５２と、回動方向における第１の当接突出部４５２の反対側に、排出部６０の搬送ガイド７０と当接する第２の当接突出部４５４とを形成し、また搬送ガイド７０に、ロックレバー６２Ｌ、６２Ｒの被係合部６４Ｌ、６４Ｒと係合し、搬送ガイド７０の回動を規制する係合部７２Ｌ、Ｒを形成したことにより、定着装置１００が画像形成装置１に挿入されるとき、ハンドル４５の第１の当接突出部４５２ｂが画像形成装置１の天面突出部８１と当接してハンドル４５が回動し、回動するハンドル４５の第２の当接突出部４５４により押圧されて搬送ガイド７０が回動し、搬送ガイド７０の係合部７２Ｌ、Ｒがロックレバー６２Ｌ、６２Ｒの被係合部６４Ｌ、６４Ｒと係合して搬送ガイド７０の回動が規制され、定着装置１００の挿入動作に連動して確実に保守部としての搬送ガイド７０を閉状態で係止することができる。
【００８８】
したがって、排出部６０の搬送ガイド７０がハーフロック状態になることを抑制することができ、第１の搬送ローラ６１ａおよび第２の搬送ローラ６１ｂと第１の従動ローラ７１ａおよび第２の従動ローラ７１ｂとが離間して発生する記録紙の搬送不良を抑制することができる。
【００８９】
また、簡易な構成で定着装置１００の挿入動作に連動して確実に搬送ガイド７０を閉状態で係止することができ、定着装置１００の製造コストの増加や組立工数の増加を抑制することができる。
【００９０】
以上説明したように、本実施例では、定着装置が画像形成装置に挿入されるとき、ハンドルの第１の当接突出部が画像形成装置の天面部と当接してハンドルが回動し、回動するハンドルの第２の当接突出部により押圧されて搬送ガイドが回動するようにしたことにより、定着装置の挿入動作に連動して確実に保守部としての搬送ガイドの閉状態を保持することができるという効果が得られる。
【００９１】
また、搬送ガイドの係合部がロックレバーの被係合部と係合して搬送ガイドの回動が規制されるようにしたことにより、より確実に搬送ガイドの閉状態を保持することができるという効果が得られる。
さらに、排出部の搬送ガイドがハーフロック状態になることを抑制し、記録紙の搬送不良を抑制することができるという効果が得られる。
【００９２】
またさらに、定着装置の製造コストの増加や組立工数の増加を抑制することができるという効果が得られる。
なお、本実施例では、画像形成装置を電子写真方式のカラープリンタとして説明したが、それに限られるものでなく、モノクロプリンタやインクジェット方式のプリンタ、ファクシミリ装置、複写機、または複合機（ＭＦＰ）等としても良い。
【符号の説明】
【００９３】
１    画像形成装置
２Ｋ、２Ｙ、２Ｍ、２Ｃ  画像形成ユニット
１０Ｋ、１０Ｙ、１０Ｍ、１０Ｃ  転写ローラ
１１  給紙ローラ
１４、１５  搬送ローラ
１６  ベルト従動ローラ
１７  ベルト駆動ローラ
１８  搬送ベルト
２４  用紙カセット
４０  定着部
４５  ハンドル
４５１Ｌ、Ｒ  支持部
４５２  第１の突出当接部
４５２ａ  第１の当接部
４５２ｂ  第２の当接部
４５４  第３の当接部
４５６  把手部
４５７  傾斜部
４６  媒体挿入口
４７  媒体排出口
６０  排出部
６１ａ  第１の搬送ローラ
６１ｂ  第２の搬送ローラ
６２Ｌ、６２Ｒ  ロックレバー
６４Ｌ、６４Ｒ  被係合部
６５Ｌ、６５Ｒ  傾斜部
７０  搬送ガイド
７１ａ  第１の従動ローラ
７１ｂ  第２の従動ローラ
７２Ｌ、Ｒ  係合部
７３  回転軸
８０  筐体
８１  天面突出部
１００  定着装置
【図１】
2018055006.tif 000003
【図２】
2018055006.tif 000004
【図３】
2018055006.tif 000005
【図４】
2018055006.tif 000006
【図５】
2018055006.tif 000007
【図６】
2018055006.tif 000008
【図７】
2018055006.tif 000009
【図８】
2018055006.tif 000010
【図９】
2018055006.tif 000011
【図１０】
2018055006.tif 000012
【図１１】
2018055006.tif 000013
【図１２】
2018055006.tif 000014
【図１３】
2018055006.tif 000015
【図１４】
2018055006.tif 000016
【図１５】
2018055006.tif 000017